(57)【要約】【課題】粘着テープの使用済みの部分を筐体内に回収する粘着テープクリーナにおいて、粘着テープに大きな異物が付着した場合であっても、不具合が発生し難い粘着テープクリーナを提供する。【解決手段】粘着テープクリーナ１は、開口部１０ａが開設された円筒状の筐体１０と、筐体１０を回転自在に軸支する軸支部材１１とを備えている。筐体１０内部は、一室及び他室に分割されており、一室は粘着テープ２を巻回したロール体３を収容可能である。ロール体３に巻回されている粘着テープ２は、開口部１０ａから筐体１０外へ引き出され、筐体１０の側面を周回して開口部１０ａから筐体１０内へ引き込まれる。また、筐体１０を周回する粘着テープ２を更新させる更新ローラ１３を備えており、更新ローラ１３が回転することにより、周回した粘着テープ２を筐体１０内へ引き込み、引き込んだ粘着テープ２を他室へ排出する。【選択図】図９
2017189452.tif 000002
【特許請求の範囲】
【請求項１】
円筒状をなし、軸方向に沿って開口部が開設された筐体と、前記筐体を回転自在に軸支する軸支部材とを備え、前記筐体は、一方の面が粘着面となる粘着テープを巻回したロール体を収容可能に構成され、ロール体に巻回されている粘着テープは、前記開口部から前記筐体外へ引き出され、前記筐体の側面を周回して前記開口部から前記筐体内へ引き込まれる粘着テープクリーナであって、
前記筐体と軸方向が平行になるように配置され、前記筐体を周回する粘着テープを更新させる更新ローラを備え、
前記筐体内部は、
複数室に分割されており、
前記筐体内の一室は、ロール体を回転自在に収容可能であり、
前記更新ローラが回転することにより、前記筐体を周回した粘着テープを筐体内へ引き込み、引き込んだ粘着テープを、前記筐体内の他室へ排出する
ことを特徴とする粘着テープクリーナ。
【請求項２】
請求項１に記載の粘着テープクリーナであって、
前記筐体の一室と他室とを分割する隔壁を備え、
前記隔壁の一端は、揺動自在に軸支された固定端であり、
前記隔壁の他端は、自由端である
ことを特徴とする粘着テープクリーナ。
【請求項３】
請求項１又は請求項２に記載の粘着テープクリーナであって、
前記更新ローラは、
軸体と、
前記軸体に軸支され粘着テープに当接する当接体と
を備え、
前記当接体は、弾性体を用いて形成されている
ことを特徴とする粘着テープクリーナ。
【請求項４】
請求項３に記載の粘着テープクリーナであって、
複数の当接体が、前記軸体に離隔して軸支されている
ことを特徴とする粘着テープクリーナ。
【請求項５】
請求項１乃至請求項４のいずれか１項に記載の粘着テープクリーナであって、
前記更新ローラは、粘着テープの粘着面に当接して、粘着テープを前記筐体内へ引き込むようにしてあり、
前記筐体内に引き込まれた粘着テープを、前記筐体内の他室へ排出すべく前記更新ローラから剥離する排出用の剥離爪を備える
ことを特徴とする粘着テープクリーナ。
【請求項６】
請求項１乃至請求項５のいずれか１項に記載の粘着テープクリーナであって、
前記更新ローラは、回転することにより、前記ロール体に巻回されている粘着テープを引き出す
ことを特徴とする粘着テープクリーナ。
【請求項７】
請求項６に記載の粘着テープクリーナであって、
前記更新ローラは、粘着テープの粘着面に当接して、粘着テープを前記ロール体から引き出すようにしてあり、
前記ロール体から引き出した粘着テープを、前記筐体外へ引き出すべく前記更新ローラから剥離する引き出し用の剥離爪を備える
ことを特徴とする粘着テープクリーナ。
【請求項８】
請求項６又は請求項７に記載の粘着テープクリーナであって、
前記筐体に開設された開口部の一側の縁部に回転自在に配設され、粘着テープの引き出しを案内する第１案内ローラと、
前記筐体に開設された開口部の他側の縁部に回転自在に配設され、粘着テープの引き込みを案内する第２案内ローラと
を備え、
前記更新ローラが回転することにより、粘着テープを介して当接する前記第１案内ローラ及び前記第２案内ローラが回転する
ことを特徴とする粘着テープクリーナ。
【発明の詳細な説明】
【技術分野】
【０００１】
本発明は、粘着テープを巻回したロール体を収容可能な筐体を備え、ロール体に巻回されている粘着テープは、前記筐体の側面を周回し、筐体内に回収される粘着テープクリーナに関する。
【背景技術】
【０００２】
カーペット、フローリング、洋服等の被清掃体に付着した埃、毛屑、その他各種ゴミ等の異物を除去する掃除用具として、粘着テープクリーナが普及している。例えば、特許文献１では、円筒形のフレーム内に、粘着テープを巻回したローラと、粘着テープを巻き取るローラとを備えた粘着テープクリーナが開示されている。特許文献１に開示された粘着テープクリーナは、ローラから引き出された粘着テープがフレームを周回しており、巻き取り用のローラにて巻き取られることにより、使用済の粘着テープの剥ぎ取りをすることなく、新しい粘着テープ面を出すことができる。
【先行技術文献】
【特許文献】
【０００３】
【特許文献１】特開平０７−１０００９０号公報
【発明の概要】
【発明が解決しようとする課題】
【０００４】
しかしながら、特許文献１に開示された粘着テープクリーナは、使用済みの粘着テープに大きな異物が付着している場合、粘着テープを巻き取った巻き取り用のローラの外形が歪な形状になるという問題がある。歪な形状となった巻き取りローラは、巻き取りを続けるに従い、更に形状の歪みが大きくなり、巻き取りそのものができなくなることもある。
【０００５】
本発明は斯かる事情に鑑みてなされたものであり、粘着テープクリーナを構成する円筒状の筐体内を複数室に分割し、粘着テープを巻回したロール体を一室に収容し、使用済みの粘着テープを他室に排出する。これにより、巻き取り用のローラを必要としない粘着テープクリーナの提供を目的とする。
【課題を解決するための手段】
【０００６】
上記課題を解決するために、本願記載の粘着テープクリーナは、円筒状をなし、軸方向に沿って開口部が開設された筐体と、前記筐体を回転自在に軸支する軸支部材とを備え、前記筐体は、一方の面が粘着面となる粘着テープを巻回したロール体を収容可能に構成され、ロール体に巻回されている粘着テープは、前記開口部から前記筐体外へ引き出され、前記筐体の側面を周回して前記開口部から前記筐体内へ引き込まれる粘着テープクリーナであって、前記筐体と軸方向が平行になるように配置され、前記筐体を周回する粘着テープを更新させる更新ローラを備え、前記筐体内部は、複数室に分割されており、前記筐体内の一室は、ロール体を回転自在に収容可能であり、前記更新ローラが回転することにより、前記筐体を周回した粘着テープを筐体内へ引き込み、引き込んだ粘着テープを、前記筐体内の他室へ排出することを特徴とする。
【発明の効果】
【０００７】
本願記載の粘着テープクリーナは、円筒状の筐体内を複数室に分割し、粘着テープを巻回したロール体を一室に収容し、ロール体から引き出し、筐体の側面を周回して、筐体内に引き込んだ粘着テープを他室へ排出する。これにより、巻き取り用のローラが必要とならないため、使用済みの粘着テープに大きな異物が付着している場合であっても、不具合が生じ難い等の優れた効果を奏する。
【図面の簡単な説明】
【０００８】
【図１】本願記載の粘着テープクリーナの一例を概略的に示す外観斜視図である。
【図２】本願記載の粘着テープクリーナの一例を概略的に示す外観斜視図である。
【図３】本願記載の粘着テープクリーナの内部構造の一例を示す概略断面図である。
【図４】本願記載の粘着テープクリーナの筐体の一例を示す概略側面図である。
【図５】本願記載の粘着テープクリーナの内部構造の一例を示す概略断面図である。
【図６】本願記載の粘着テープクリーナが備える隔壁の一例を示す概略外観図である。
【図７】本願記載の粘着テープクリーナが備える第１剥離爪の一例を示す概略外観図である。
【図８】本願記載の粘着テープクリーナが備える第２剥離爪の一例を示す概略外観図である。
【図９】本願記載の粘着テープクリーナの内部構造の一例を示す概略断面図である。
【発明を実施するための形態】
【０００９】
以下、本発明の実施形態について図面を参照しながら説明する。なお、以下の実施形態は、本発明を具現化した一例であって、本発明の技術的範囲を限定する性格のものではない。
【００１０】
図１は、本願記載の粘着テープクリーナの一例を概略的に示す外観斜視図である。図１に例示するように、粘着テープクリーナ１は、有底円筒状をなす筐体１０を備え、筐体１０は、円筒の中心軸の位置に挿通された軸支部材１１により、回転自在に軸支されている。図１に例示する軸支部材１１は、一本の金属棒を屈曲して形成されており、一方の底面から筐体１０に挿通された軸支部と、アーム部とを有している。アーム部の一端は、軸支部に繋がっており、軸支部により筐体１０をいわゆる片持ち状態で支持している。アーム部の他端には、使用者が把持するための図示しない把持部が取り付けられている。なお、軸支部材１１の材質及び形状は用途に応じて適宜選択することが可能である。例えば、軸支部材１１が、筐体１０を両持ち状態で支持するように形成し、使用時の筐体１０の回転の安定性を向上させることも可能である。
【００１１】
筐体１０の外周の側面には、軸方向に沿って溝状の開口部１０ａが開設されている。開口部１０ａから、帯状をなす粘着テープ２が筐体１０外に引き出され、引き出された粘着テープ２は、筐体１０の側面を周回して開口部１０ａから筐体１０内へ引き込まれる。外側に向いた粘着テープ２の一方の面は、粘着剤が塗布された粘着面となっている。また、筐体１０の他方の底面には、筐体１０の側面を周回している粘着テープ２を更新させるための更新ハンドル１２が取り付けられている。更新ハンドル１２には、突起部１２０が揺動自在に軸支されている。
【００１２】
このように構成された粘着テープクリーナ１を使用する場合、使用者は、把持部を把持し、筐体１０の側面を、カーペット、フローリング、洋服、屋内通路、壁、作業用衣類、産業用機械、工具、治具等の家庭用又は産業用の被清掃体に当接させ、被清掃体の表面に沿って筐体１０が回転するように粘着テープクリーナ１を移動させる。これにより、筐体１０の側面を周回する粘着テープ２の粘着面に、被清掃体表面の埃、毛屑、その他各種ゴミ等の異物が付着するため、被清掃体から異物を除去することができる。
【００１３】
また、粘着面に異物が多量に付着し、異物の除去効果が低下した場合、使用者は、突起部１２０を揺動させて立ち上げ、突起部１２０を掴んで更新ハンドル１２を回転させる。これにより、異物が付着した粘着テープ２の使用済みの部分が開口部１０ａから筐体１０内へ引き込まれ、その引き込みに伴い粘着テープ２の未使用の部分が開口部１０ａから筐体１０外へ引き出され、筐体１０の側面を周回する。このようにして、筐体１０の側面を周回する粘着テープ２の部分が更新される。
【００１４】
図２は、本願記載の粘着テープクリーナ１の一例を概略的に示す外観斜視図である。図２は、粘着テープクリーナ１の筐体１０を開いた状態を示している。筐体１０は、側面から軸方向に分割可能な第１半体１０ｂ及び第２半体１０ｃを組み合わせた構成となっている。第１半体１０ｂ及び第２半体１０ｃは、筐体１０の側面に軸方向に平行に形成された揺動軸１０ｄで揺動自在に結合されており、筐体１０の両底面には、揺動軸１０ｄから開口部１０ａにかけて波形（略Ｓ字状）の切れ目を有している。そして、図２に例示するように、揺動軸１０ｄを中心に第１半体１０ｂ及び第２半体１０ｃを揺動させることにより、筐体１０は、開口部１０ａから開き、内部が露出する。筐体１０内には、未使用の粘着テープ２を巻回したロール体３、粘着テープ２を更新させる更新ローラ１３等の様々な部材が収容されている。
【００１５】
図３は、本願記載の粘着テープクリーナ１の内部構造の一例を示す概略断面図である。図３の概略断面図は、粘着テープクリーナ１を中心軸に平行な面で切断して示している。なお、図３は、粘着テープクリーナ１の内部構造を概略断面図の形式で示しているが、筐体１０内のロール体３及び更新ローラ１３の形状及び配置を容易に把握することができるように示しており、特定の一面で切断して示したものではない。図４は、本願記載の粘着テープクリーナ１の筐体１０の一例を示す概略側面図である。図４の概略側面図は、他の底面側からの視点で示している。なお、図４において、外部からは視認することができない一部の構成の外形を破線にて示している。
【００１６】
図１乃至図４に示すように、粘着テープ２が巻回されたロール体３は、円柱状をなし、その軸方向が筐体１０の軸方向と平行になるようにして、主に筐体１０内の第１半体１０ｂ側に回転自在に収容されている。そして、ロール体３は、巻回している粘着テープ２の引き出しに伴い、筐体１０内で回転する。なお、図４において、粘着テープ２が巻回されたロール体３は破線にて示されている。
【００１７】
更新ローラ１３は、軸方向が筐体１０の軸方向と平行になるようにして、主に筐体１０内の第２半体１０ｃ側に収容され、筐体１０内で回転自在に軸支されている。更新ローラ１３は、回転自在な金属製の軸体１３０と、軸体１３０に軸支され、粘着テープ２の粘着面に当接する複数の当接体１３１とを備えている。複数の当接体１３１は、それぞれ円柱状をなしており、軸体１３０が円柱の中心を挿通するようにして、それぞれ離隔して配置されている。個々の当接体１３１の軸方向の長さ（円柱の高さ）は、粘着テープ２の幅方向の長さに比べて短くなるように形成されている。当接体１３１は、硬質樹脂等の硬質材料を用いて形成された中心側の硬質部１３１ａと、シリコンゴム等の弾性体を用いて形成された側面側の弾性部１３１ｂとを有している。硬質部１３１ａは、挿通する軸体１３０に固定されており、弾性部１３１ｂは、粘着テープ２の粘着面に当接する。
【００１８】
軸方向の長さが短い複数の当接体１３１を離隔して配置することにより、例えば、粘着テープ２の幅方向より軸方向が長い一の当接体１３１を用いる場合と比べて、粘着テープ２の粘着面に当接する面積を小さくすることができる。これにより、当接の際に当接体１３１に付着した粘着テープ２の剥離が容易になる等の効果を奏する。また、粘着テープ２の粘着面に当接する部位を弾性体にて形成することにより、粘着テープ２の使用済みの部分を引き込む場合に、粘着テープ２に大きな異物が付着しているときであっても、弾性体を用いて形成された弾性部１３１ｂが変形するので、異物の付着に伴う凹凸を吸収し、更新ローラ１３の安定した回転を維持することが可能である等の効果を奏する。
【００１９】
更新ローラ１３の軸体１３０において、筐体１０の他方の底面側の端部は、筐体１０の他方の底面に取付られた更新ハンドル１２に連結されている。更新ハンドル１２は、長円板状をなしており、長径が筐体１０の底面の直径より若干短くなるように形成されている。長円板状をなす更新ハンドル１２の一端側の端部近傍は、更新ローラ１３の軸体１３０の端部と連結されており、他端側の端部近傍には、突起部１２０が軸支されている。そして、使用者は、更新ハンドル１２を回転させることにより、更新ハンドル１２と軸体１３０により連結された更新ローラ１３が回転する。
【００２０】
粘着テープクリーナ１の内部構造について更に説明する。図５は、本願記載の粘着テープクリーナ１の内部構造の一例を示す概略断面図である。図５の概略断面図は、一方の底面側からの視点で示しており、図５（ａ）は、筐体１０を閉じた状態を示し、図５（ｂ）は、筐体１０を開いた状態を示している。筐体１０の内部は、複数室、ここでは、主として第１半体１０ｂ部分に含まれる第１室（一室）１０ｅ及び主として第２半体１０ｃ部分に含まれる第２室（他室）１０ｆに分割されている。第１室１０ｅは、粘着テープ２を巻回したロール体３を回転自在に収容可能に構成されている。第２室１０ｆは、筐体１０外から引き込んだ粘着テープ２の使用済み部分の排出先として用いられる。そして、図５（ｂ）に示すように、開口部１０ａから筐体１０を開くことにより、使用済みのロール体３を新しいロール体３に交換することができ、また、第２室１０ｆに排出された使用済みの粘着テープ２を取り除くことができる。
【００２１】
筐体１０内には、第１室１０ｅと第２室１０ｆとを分割する隔壁１４が配設されている。図６は、本願記載の粘着テープクリーナ１が備える隔壁１４の一例を示す概略外観図である。図６（ａ）は、筐体１０の側面方向からの視点で示す正面図であり、図６（ｂ）は、筐体１０の底面方向からの視点で示す側面図である。図５及び図６に例示するように、隔壁１４は、長方形板状をなしており、側面からの視点で中央付近が第２室１０ｆ側へ突出するように湾曲している。隔壁１４の長辺の一端は、筐体１０の側面の内側に揺動自在に軸支された固定端であり、長辺の他端は、自由端となっている。筐体１０内の第２室１０ｆ側で、隔壁１４の他端近傍には、規制部材１４０が配設されている。また、隔壁１４の自由端である他端は、図示しないバネ等の付勢部材により第２室１０ｆ側に付勢されている。なお、隔壁１４の自由端である他端が第２室１０ｆ側に揺動した場合に、他端は規制部材１４０に当接する。これにより、他端が規制部材１４０より第２室１０ｆ側へ揺動しないように規制する。なお、他端側の長辺には、半円状の切り欠きが設けられており、使用者は、切り欠きに指を掛けて隔壁１４を揺動させることにより、第２室１０ｆ内に排出された粘着テープ２を取り除くことができる。図５及び図６に示す例では、隔壁１４の他端は、筐体１０の回転中心となる軸支部材１１の近傍まで延びている。
【００２２】
図５に例示するように、筐体１０内で、軸支部材１１に対し、隔壁１４の略反対側には、第１剥離爪１５が配設されている。図７は、本願記載の粘着テープクリーナ１が備える第１剥離爪１５の一例を示す概略外観図である。図７（ａ）は、筐体１０の側面方向からの視点で示す正面図であり、図７（ｂ）は、筐体１０の底面方向からの視点で示す側面図である。図５及び図７に例示するように、第１剥離爪１５は、長方形板状をなしており、長辺の一端は軸支部材１１の近傍に固定されている。長辺の他端は、長方形状をなす複数の切り欠きが設けられ、櫛状になっている。第１剥離爪１５の長辺の他端は、更新ローラ１３の近傍まで延びており、他端に設けられた切り欠きの位置は、更新ローラ１３の当接体１３１の位置に対応している。他端の先端は、更新ローラ１３の軸体１３０側へ湾曲している。他端として示した第１剥離爪１５の先端は、更新ローラ１３の当接体１３１が配置されていない位置において、更新ローラ１３と粘着テープ２との間に入り込む。これにより第１剥離爪１５は、筐体１０内に引き込まれ、更新ローラ１３に当接している粘着テープ２を、第２室１０ｆへ排出すべく更新ローラ１３から剥離する排出用の剥離爪として機能する。
【００２３】
図５に例示するように、筐体１０内で更新ローラ１３の近傍には、第２剥離爪１６が配設されている。図８は、本願記載の粘着テープクリーナ１が備える第２剥離爪１６の一例を示す概略外観図である。図８（ａ）は、筐体１０の側面方向からの視点で示す正面図であり、図８（ｂ）は、筐体１０の底面方向からの視点で示す側面図である。図５及び図８に例示するように第２剥離爪１６は、長方形板状をなしており、長辺の一端は、更新ローラ１３の近傍に固定されている。第２剥離爪１６の長辺の一端は、長方形状をなす複数の切り欠きが設けられ、櫛状になっている。一端に設けられた切り欠きの位置は、更新ローラ１３の当接体１３１の位置に対応している。一端として示した付け根側に位置する第２剥離爪１６は、更新ローラ１３の当接体１３１が配置されていない位置において、更新ローラ１３と粘着テープ２との間に入り込む。これにより第２剥離爪１６は、ロール体３から引き出し、更新ローラ１３に当接している粘着テープ２を、筐体１０外へ引き出すべく更新ローラ１３から剥離する引き出し用の剥離爪として機能する。図５及び図８に示す例では、第２剥離爪１６は、更新ローラ１３の近傍から開口部１０ａ近傍まで延びている。
【００２４】
図５に例示するように、筐体１０に開設された開口部１０ａの第１半体１０ｂ側の縁部近傍には、粘着テープ２の引き出しを案内する第１案内ローラ１７が回転自在に配設されている。筐体１０に開設された開口部１０ａの第２半体１０ｃ側の縁部近傍には、粘着テープ２の引き込みを案内する第２案内ローラ１８が回転自在に配設されている。筐体１０を閉じた状態において、更新ローラ１３は第１案内ローラ１７と当接し、また、更新ローラ１３は第２案内ローラ１８に当接している。但し、第１案内ローラ１７と第２案内ローラ１８とは離隔して配置されている。
【００２５】
従って、図５（ａ）に示す視点で、更新ローラ１３を右回転（時計回り）させることにより、更新ローラ１３に当接している第１案内ローラ１７は左回転する。この状態で、ロール体３から引き出した粘着テープ２の未使用の部分を更新ローラ１３と第１案内ローラ１７との間に挟み込むと、更新ローラ１３が右回転することにより、粘着テープ２を介して当接する第１案内ローラ１７が左回転し、挟み込まれた粘着テープ２は、ロール体３から次々に引き出される。更新ローラ１３及び第１案内ローラ１７に挟み込まれた粘着テープ２は、粘着面が更新ローラ１３の当接体１３１に付着するが、第２剥離爪１６により引き剥がされ、第１案内ローラ１７に案内されて筐体１０外へ引き出される。
【００２６】
また、更新ローラ１３を右回転させることにより、更新ローラ１３に当接している第２案内ローラ１８は左回転する。この状態で、筐体１０外へ引き出され、筐体１０の側面を周回した粘着テープ２の使用済みの部分を更新ローラ１３と第２案内ローラ１８との間に挟み込むと、更新ローラ１３が右回転することにより、粘着テープ２を介して当接する第２案内ローラ１８が左回転し、挟み込まれた粘着テープ２は、筐体１０の外周から次々に引き込まれる。更新ローラ１３及び第２案内ローラ１８に挟み込まれた粘着テープ２は、粘着面が更新ローラ１３の当接体１３１に付着するが、第１剥離爪１５により引き剥がされ、筐体１０内の第２室１０ｆへ排出される。
【００２７】
粘着テープクリーナ１の使用の際の状況について更に説明する。図９は、本願記載の粘着テープクリーナ１の内部構造の一例を示す概略断面図である。図９の概略断面図は、粘着テープクリーナ１の内部構造を一方の底面側からの視点で示している。図９は、図５（ａ）に示した概略断面図において、粘着テープクリーナ１の使用の際の状況を粘着テープ２を図示して示している。図９（ａ）は、ロール体３を交換後、使用初期の段階を示しており、図９（ｂ）は、使用後期の段階を示している。
【００２８】
前述の様に、ロール体３に巻回された粘着テープ２は、更新ローラ１３及び第１案内ローラ１７に挟み込まれて引き出され、第１案内ローラ１７に案内されて開口部１０ａから筐体１０外へ引き出される。筐体１０外へ引き出された粘着テープ２は、筐体１０の側面を周回し、更新ローラ１３及び第２案内ローラ１８に挟み込まれて引き込まれ、第２案内ローラ１８に案内されて開口部１０ａから筐体１０内へ引き込まれる。使用者は、被清掃体の表面に沿って筐体１０が回転するように粘着テープクリーナ１を移動させることにより、筐体１０の側面を周回する粘着テープ２の粘着面に異物を付着させることができる。そして、使用者が、更新ハンドル１２の突起部１２０を立ち上げ、突起部１２０を掴んで更新ハンドル１２を回転することにより、更新ハンドル１２と連結された更新ローラ１３が回転する。更新ローラ１３が回転することにより、異物が付着した粘着テープ２の使用済みの部分は、第２案内ローラ１８に案内されて開口部１０ａから筐体１０内へ引き込まれ、第１剥離爪１５により更新ローラ１３から引き剥がされて、筐体１０内の第２室１０ｆへ排出される。
【００２９】
このようにして、第２室１０ｆへ排出された粘着テープ２の嵩が増大すると、第２室１０ｆの空き容積が徐々に小さくなる。しかしながら、図９（ａ）及び図９（ｂ）に示すように、第２室１０ｆ内に排出され、嵩が増大した粘着テープ２が隔壁１４を第１室１０ｅ側へ押圧するため、隔壁１４が第１室１０ｅ側へ揺動し、第２室１０ｆの空き容積が大きくなる。なお、第２室１０ｆに排出された粘着テープ２の嵩が増大する使用後期の段階では、ロール体３に巻回された粘着テープ２の大部分は引き出されているため、第１室１０ｅが狭くなっても特に問題は生じない。
【００３０】
このように本願記載の粘着テープクリーナ１は、粘着テープ２の使用済みの部分を筐体１０内に回収することにより、使用済みの粘着テープ２の剥ぎ取りをすることなく、未使用の粘着テープ２を引き出すことができる。しかも、筐体１０内に回収した粘着テープ２は、巻き取り用のローラにて巻き取ることなく、筐体１０内に設けられた第２室１０ｆへ排出される。これにより、巻き取りローラにて巻き取ることがないので、粘着テープ２の使用済みの部分に大きな異物が付着している場合であっても、巻き取りローラの外形が歪むことに基づく不具合が発生しない等、優れた効果を奏する。
【００３１】
本願記載の粘着テープクリーナ１は、家庭用、産業用等の様々な用途に使用することが可能である。そして、産業用として使用する場合、作業者は、細かな作業がし難い作業用手袋を嵌めた状態で粘着テープクリーナ１を使用することも想定される。そのような場合には、更新ローラ１３を回転させる構成として、手動式の更新ハンドル１２に代替して、モータを内蔵させ又は外部モータを使用して更新ローラ１３を回転させるように構成することも可能である。外部モータを使用して更新ローラ１３を回転させる構成としては、例えば、更新ローラ１３に連結するギアを設け、工場内に設置されている回転ギアに歯合させることにより、回転ギアの回転に伴い、更新ローラ１３を自動回転させる形態を例示することができる。さらに、軸支部材１１の把持部を固定して粘着テープクリーナ１を立設させる固定台等の各種付属具を用いることにより、粘着テープクリーナ１の置き場を確保すると共に、ロール体３の交換、使用済みの粘着テープ２の取り出し等の作業に係る利便性を向上させることが可能となる。
【００３２】
本発明は、以上説明した実施形態に限定されるものではなく、他のいろいろな形態で実施することが可能である。そのため、上述した実施形態はあらゆる点で単なる例示にすぎず、限定的に解釈してはならない。本発明の範囲は請求の範囲によって示すものであって、明細書本文には、なんら拘束されない。更に、請求の範囲の均等範囲に属する変形及び変更は、全て本発明の範囲内のものである。
【００３３】
例えば、前記実施形態では、筐体１０内を二室に分割する形態を示したが、三室以上に分割し、例えば、予備のロール体３を収納しておく形態等、様々な形態に展開することが可能である。
【符号の説明】
【００３４】
１    粘着テープクリーナ
１０    筐体
１０ａ    開口部
１０ｄ    揺動軸
１０ｅ    第１室（一室）
１０ｆ    第２室（他室）
１１    軸支部材
１２    更新ハンドル
１３    更新ローラ
１３０    軸体
１３１    当接体
１４    隔壁
１５    第１剥離爪（排出用の剥離爪）
１６    第２剥離爪（引き出し用の剥離爪）
１７    第１案内ローラ
１８    第２案内ローラ
２    粘着テープ
３    ロール体
【図１】
2017189452.tif 000003
【図２】
2017189452.tif 000004
【図３】
2017189452.tif 000005
【図４】
2017189452.tif 000006
【図５】
2017189452.tif 000007
【図６】
2017189452.tif 000008
【図７】
2017189452.tif 000009
【図８】
2017189452.tif 000010
【図９】
2017189452.tif 000011